(57)【要約】【課題】従来の浮上分離を用いた処理よりも凝集剤の使用量を低減させることが可能となった油分含有廃水の処理方法および処理装置を提供することを目的とする。【解決手段】油分含有廃水に該廃水中の油分を捕捉ないし吸着できる懸濁物質を添加するか、或いは、予め該懸濁物質が混入している被処理水に対して、廃水中の油分が捕捉ないし吸着した懸濁物質を浮上分離工程にて除去した後、凝集剤を作用させて前記廃水の油分を除去する。【選択図】なし【特許請求の範囲】
【請求項１】
油分を含有する廃水の処理方法において、該廃水に懸濁物質を添加し、次いで該廃水から該懸濁物質を取り除くことにより、該廃水から該油分を除去する工程を有することを特徴とする油分含有廃水の処理方法。
【請求項２】
油分を含有する廃水の処理方法において、該廃水が予め懸濁物質を含み、該廃水から該懸濁物質を取り除くことにより、該廃水から該油分を除去する工程を有することを特徴とする油分含有廃水の処理方法。
【請求項３】
前記懸濁物質が前記廃水中の前記油分に対して疎水性相互作用を持つ物質であることを特徴とする請求項１乃至２に記載の油分含有廃水の処理方法。
【請求項４】
前記懸濁物質における粒子のメジアン径が５μｍより大きく、２ｍｍより小さい粒度分布を保持していることを特徴とする請求項１乃至３に記載の油分含有廃水の処理方法。
【請求項５】
前記廃水の処理方法が前処理工程、浮上分離工程、凝集剤添加工程、生物処理工程を含むものであって、前記廃水中の油分を懸濁物質によって浮上分離工程にて除去した後、該浮上分離工程で得られた処理水に凝集剤を作用させることを特徴とする請求項１乃至４に記載の油分含有廃水の処理方法。
【請求項６】
前記浮上分離工程が、加圧浮上分離、常圧浮上分離、泡沫分離の何れかであることを特徴とする請求項５に記載の油分含有廃水の処理方法。
【請求項７】
気泡のみを発生させる手段で発生した気泡を剪断する手段を用いることにより生じる微細気泡と該気泡を剪断する手段そのものから発生する微細気泡のうち少なくとも一方の微細気泡を前記浮上分離工程内の分離槽内の油分含有廃水中に供給して泡沫分離することを特徴とする請求項６に記載の油分含有廃水の処理方法。
【請求項８】
少なくとも前処理装置、浮上分離装置、凝集剤添加装置及び生物処理装置を含む油分含有廃水の処理装置において、該浮上分離装置の分離槽内に設けられた気泡のみを発生させる機器の上方に、該気泡を剪断及び／又は微細気泡を発生させる機器が配置されていることを特徴とする油分含有廃水の処理装置。
【請求項９】
前記気泡のみを発生させる機器が散気板であり、該気泡を剪断及び／又は微細気泡を発生させる機器が自給式微細気泡発生装置である請求項８に記載の油分含有廃水の処理装置。
【発明の詳細な説明】
【技術分野】
【０００１】
本発明は、清掃業、クリーニング業、鉄鋼業、機械加工業、食品加工業等の各種産業で発生する油分含有廃水の処理方法および処理装置に関するものであり、さらに詳しくは廃水中の油分を除去することを特徴とする油分含有廃水の処理方法およびその処理装置に関するものである。
【背景技術】
【０００２】
従来から油分含有廃水の処理方法には、廃水中の油分と水の比重差を利用して油分を除去する比重分離方法や、廃水に気泡を供給し、廃水中の油分に気泡を付着させ上部へ浮上濃縮させて除去する浮上分離方法が用いられていた。
【０００３】
比重分離方法については、一例を挙げると、隔壁版で分割し、前記隔壁の下部に連通孔を有する油水分離槽を用いることにより水面上部に油分を浮上させて除去する油分含有廃水の処理装置が提案されている。図７および図８において、従来の比重分離方法を用いた油分含有廃水の処理装置は、中空函型の油水分離槽１０１と、油水分離槽１０１の一方の端部即ち上流側端部に連通された導入管１０２と、油水分離槽１０１の他方の端部即ち下流側端部に連通された放流管１０３とを備え、導入管１０２を道路の側溝途中に設けられたマンホール等と連通させておき、この導入管１０２を通して油水分離槽１０１内に油分を含有した廃水を導入し、油水分離槽１０１内を上流から下流へと流下させる過程において、水と油分の比重の違いを利用して水と油分を分離させ、水のみを放流管１０３から下水道に放出する構造になっている。上記処理装置の油水分離槽１０１は、角筒状のプレキャストコンクリートブロック（以下、ＰＣブロックと記す）１０４，１０４・・・と、ＰＣブロック１０４の端面に当接される複数の隔壁版１０５、１０６，１０６・・・と、油水分離槽１０１の両端部を閉鎖する端版１０７，１０８とを備え、ＰＣブロック１０４と隔壁版１０５、１０６，１０６・・・とを交互に接続し、両端部のＰＣブロック１０４ａ，１０４ｇの端面を端版１０７，１０８により閉鎖することによって、内部が隔壁により仕切られた中空函型に形成されている。
【０００４】
上記のように構成することにより、導入管１０２を通して油分を含有した廃水が油水分離槽１０１内に流入すると、廃水に含まれる泥質や塵、その他の異物が沈殿し、その異物が隔壁版１０５に阻まれて下流側へは流下せず、油分を含有した廃水が連通孔１０９を通して下流側へ流れ、また油分と水との比重差により、比重の軽い油分は上方へ浮かび上がり、比重の重い水が下方へ沈み込むようになり、油分の大半は隔壁版１０６に阻まれて隔壁版１０６の上流側に溜まり、廃水が隔壁下部に形成された連通孔１１０を通して流下し、放流管１０３を経て外部に放出される工程を繰り返すことにより、油分含有廃水から水と油分が分離できるものである。（特許文献１参照）。
【０００５】
しかしながら、前記の比重分離方法を用いた処理装置では、油分含有廃水中の水と油を分離させるためには、油水分離槽１０１内の滞留時間を長くすることで水と油の比重差を促さなければならず、その為には処理装置を大きくしなければならない問題があった。また、短い時間では分離が不充分という問題もあった。
【０００６】
また、浮上分離方法について一例を挙げると、浮上分離槽と加圧ポンプと空気を被処理液に加圧溶解させる被処理液循環系統からなる加圧浮上分離方法に代表される浮上分離方法およびその装置による油分含有廃水の処理装置がある。図９において、従来の加圧浮上分離方法を用いた油水分離装置は、処理槽２０９が、空気を混入した被処理液を供給するノズル２０１と、不溶解空気を除去する大気泡除去部２０２と、大気泡除去部２０２の出口近傍の上側に設けられ空気が混合された被処理液の分岐流を流すための大気泡排出管２０３と、液面検出器２０４，２０５を備え被処理水を分離する分離部２０６と、浮上油受け器２０７と、分離部２０６と浮上油受け器２０７とを分離する遮蔽板２０８とで構成されており、その処理槽２０９と、処理槽２０９の下部に接続された循環配管２１０および循環配管２１０の途中で分岐した排出調節弁２１１が接続された排出配管２１２と、被処理液供給量を制御する被処理液調節弁２１３が接続された被処理液供給配管２１４と、空気の流量を制御する空気流量調節弁２１５が接続された空気導入配管２１６と、ポンプ２１７と、加圧供給配管２１８とが閉鎖的に接続されている油分含有廃水の処理装置である。
【０００７】
上記のように構成することにより、ポンプ２１７により０．３〜０．８ＭＰａに加圧された被処理液と空気の気液混合流体が、ノズル２０１を通じて処理槽２０９内に導入されることで発生する微細気泡２１９と被処理液中の油粒子が結びつき、処理槽２０９の上部へ油分が浮上濃縮され、遮蔽板２０８を越流した後に浮上油受け器２０７に投入されることにより、油分含有廃水から水と油分が分離できるものであった。（特許文献２参照）。
【０００８】
また、図１０に示すように、従来の油分含有廃水の処理方法には、該廃水に凝集剤を作用させた後、浮上分離工程において凝集させた懸濁物質（以下、ＳＳと記す）や油分を浮上分離し、前記廃水から油分を除去するものもあった。
【０００９】
【特許文献１】特開２００４−３２１９１６号公報
【特許文献２】特開２００３−１５４２０５号公報
【発明の開示】
【発明が解決しようとする課題】
【００１０】
しかしながら、前記の加圧浮上分離方法を用いた処理装置では、廃水中の油分が小さくなるほど微細気泡と付着し難くなり、処理装置の上部へ浮上濃縮させることが困難になるという問題があった。仮に廃水中の油分が小さい場合であっても、凝集剤を使用して油分を大きくすれば、微細気泡と付着し易くなることが考えられるが、従来の油分含有廃水の処理方法のように、該廃水に凝集剤を作用させた後、浮上分離工程において凝集させたＳＳや油分を浮上分離し、前記廃水から油分を除去するものである場合、廃水中の油分だけでなくその他の汚濁物質にも凝集剤が作用することから、目的の油分除去性能を得るまでに、多量の凝集剤を使用しなければならないという問題があった。
【００１１】
本発明は、以上のような従来技術の問題点に鑑みなされたものであり、従来の浮上分離を用いた処理よりも凝集剤の使用量を低減させることが可能となった油分含有廃水の処理方法および処理装置を提供することを目的とする。
【課題を解決するための手段】
【００１２】
上記課題を解決するための本発明における油分含有廃水の処理方法および処理装置の構成を図１に基づいて説明すると、本発明の第一は、油分を含有する廃水の処理方法において、該廃水に懸濁物質を添加し、次いで該廃水から該懸濁物質を取り除くことにより、該廃水から該油分を除去する工程を有すること、或いは、油分を含有する廃水の処理方法において、該廃水が予め懸濁物質を含み、該廃水から該懸濁物質を取り除くことにより、該廃水から該油分を除去する工程を有すること、を特徴とし、下記の構成を好ましい態様として含む。
【００１３】
前記懸濁物質が前記廃水中の前記油分に対して疎水性相互作用を持つ物質であること。
【００１４】
前記懸濁物質における粒子のメジアン径が５μｍより大きく、２ｍｍより小さい粒度分布を保持していること。
【００１５】
また前記廃水の処理方法が前処理工程、浮上分離工程、凝集剤添加工程、生物処理工程を含むものであって、前記廃水中の油分を懸濁物質によって浮上分離工程にて除去した後、該浮上分離工程で得られた処理水に凝集剤を作用させること。
【００１６】
前記浮上分離工程が、加圧浮上分離、常圧浮上分離、泡沫分離の何れかである。
【００１７】
気泡のみを発生させる手段で発生した気泡を剪断する手段を用いることにより生じる微細気泡と該気泡を剪断する手段そのものから発生する微細気泡のうち少なくとも一方の微細気泡を前記浮上分離工程内の分離槽内の油分含有廃水中に供給して泡沫分離すること。
【００１８】
本発明の第二は、少なくとも前処理装置、浮上分離装置、凝集剤添加装置及び生物処理装置を含む油分含有廃水の処理装置において、該浮上分離装置の分離槽内に設けられた気泡のみを発生させる機器の上方に、該気泡を剪断及び／又は微細気泡を発生させる機器が配置されていることを特徴とし、下記の構成を好ましい態様として含む。
【００１９】
前記気泡のみを発生させる機器が散気板であり、該気泡を剪断及び／又は微細気泡を発生させる機器が自給式微細気泡発生装置である。
【発明の効果】
【００２０】
本発明における油分含有廃水の処理方法および処理装置は、以上説明した構成になっているので、以下のような優れた効果が得られる。
（１）廃水に含まれる油分を効率よく除去できるため、予め凝集剤を作用させて浮上分離工程を行う場合と比べて、処理水中の油分濃度を約１／４に低減することができる。
（２）廃水に含まれる油分を効率よく除去できるため、予め凝集剤を作用させて浮上分離工程を行う場合と比べて、凝集剤の使用量を約１／３に低減することができる。
（３）泡沫分離槽内に供給する空気量を多くすると共に気泡径を微細にすることができ、且つ泡沫分離槽内に微細気泡を大量に発生させることができるため、油分含有廃水から効率よく油分を除去できる。
（４）処理設備をコンパクトに設定することができ、運転管理が容易で一定の処理水質を得ることができる。
【発明を実施するための最良の形態】
【００２１】
以下、本発明の実施形態について図１乃至図６を用いて説明するが、本発明が本実施形態に限定されないことは言うまでもない。図１は本発明が意図する油分含有廃水の処理フローである。図２は本発明における泡沫分離処理に用いる浮上分離装置の一例の断面模式図である。図３は本発明の実施例１における処理時間毎の被処理水の油分濃度における粒度分布の推移を示したグラフである。図４は本発明の実施例１における処理時間毎の被処理水のＳＳにおける粒度分布の推移を示したグラフである。図５は本発明の実施例１及び比較例１における処理時間毎の被処理水の油分濃度の推移を示したグラフである。図６は本発明の実施例１及び比較例１における処理時間毎の被処理水のＳＳの推移を示したグラフである。
【００２２】
以下、本発明の実施形態を図１乃至図６に基づいて説明する。本発明の油分含有廃水の処理方法は、該廃水に廃水中の油分を捕捉ないし吸着できる懸濁物質を添加または予め懸濁物質が混入している被処理水に対して、廃水中の油分が捕捉ないし吸着した懸濁物質を浮上分離工程にて除去した後、凝集剤を作用させて前記廃水の油分を除去するものである。
【００２３】
従来の油分含有廃水の処理方法のように処理工程の最初に凝集剤を作用させると、凝集剤を作用させなくても浮上分離できるＳＳや油分に対しても凝集剤が費やされてしまい凝集剤の添加量が多くなる。本発明は、予め浮上分離工程によりこれらのＳＳや油分を除去した後、凝集剤を添加することで凝集剤の添加量を抑えても効率良く油分を除去することが可能となる。
【００２４】
本発明において、油分含有廃水における処理方法および処理装置の一連の処理工程に懸濁物質が存在するが、これは浮上分離工程前に懸濁物質に廃水中の油分を捕捉ないし吸着させるために必要であり、油分の捕捉ないし吸着は懸濁物質の形状による効果であっても良いが、材質による効果であることが好ましい。
【００２５】
油分含有廃水における処理方法および処理装置に用いる懸濁物質は、粒子のメジアン径が５μｍより大きく２ｍｍより小さいことが好ましい。懸濁物質における粒子のメジアン径は小さければ小さいほど粒子の表面積が大きくなるため、廃水中の油分との接触効率が向上し、油分を捕捉ないし吸着し易くなる。しかし本発明者等が鋭意研究を重ねた結果、浮上分離工程にて浮上濃縮できる粒子のメジアン径は５μｍより大である。また逆に懸濁物質における粒子のメジアン径が大きくなり過ぎると、浮上分離工程で浮上させることが困難になり、かつ粒子の表面積が小さくなる。このため廃水中の油分との接触効率が低下し、油分を捕捉ないし吸着し難くなるという現象を防ぐためには２ｍｍより小さいことが好ましい。さらに本発明における懸濁物質は処理工程において被処理水から除去することが前提であるが、仮に被処理水に残存すればそれ自身が懸濁物質として水質分析の際に計量されてしまう恐れがある。水質分析における懸濁物質は、計量に際して予め孔径２ｍｍのふるいで大きな懸濁物質を除去することが前提であるため、２ｍｍ以上の懸濁物質が混入しても水質分析に反映されない可能性がある。従って懸濁物質の粒子のメジアン径は２ｍｍより小さければ被処理水に残存しているかどうか正確に判別できるため、技術の正当性を的確に判断できる。
【００２６】
なお、メジアン径とは粒子径の分布において累積５０％に相当する粒子径のことである。一般的な生物処理においては油分の粒子のメジアン径が１〜１００μｍの時好適であるが、メジアン径は、この範囲において小さければ小さいほど好ましい。
【００２７】
本発明における凝集剤は、硫酸バンド、ポリ塩化アルミニウム、硫酸第二鉄、塩化第二鉄などの無機系凝集剤およびポリアクリルアミド系、ジメチルアミノエチルアクリレート系、キトサンなどの高分子凝集剤である。
【００２８】
また、凝集剤は無機系凝集剤や高分子凝集剤をそれぞれ単独で使用しても良いが、予め無機系凝集剤で凝集させた後、高分子凝集剤を添加し凝集させることが好ましい。無機系凝集剤で凝集させた後、高分子凝集剤を併用することにより凝集フロックが大きくなり、且つ凝集フロックが強固になるため、固液分離が容易になるため好適である。
【００２９】
本発明において、油分含有廃水における処理方法および処理装置に用いる浮上分離工程は、加圧浮上分離、常圧浮上分離、泡沫分離の何れでも良いが、泡沫分離であることが好ましい。加圧浮上分離や常圧浮上分離は、浮上したフロスを掻き寄せるために掻き寄せ機等の動力を必要とするが、通常、廃水には洗剤やタンパク質等の界面活性物質が混入していることもあり、泡沫分離は被処理水を発泡させて浮上したフロスを泡沫分離水として自発的に系外へ排出させることから別途動力を必要としないことからも好適である。
【００３０】
本発明において、泡沫分離槽に供給する空気は微細気泡であることが好ましい。これは同じ空気量であれば、気泡径が微細であるほど気泡数が多くなり、拡散され易く、泡沫分離槽内で分散され易いため、廃水中の懸濁物質や油分と微細気泡の接触が多くなり、廃水中の油分を効率よく分離、排出することができるため好適である。
【００３１】
本発明において、微細気泡は、気泡のみを発生させる機器によって気泡を発生させた後、該気泡を剪断する機器によって気泡が剪断されることによって生じさせる及び／又は該気泡を剪断する機器そのものから発生することが好ましい。これは気泡のみを発生させる機器を微細気泡を発生させる機器より下方へ設け、気泡のみを発生させる機器から発生された気泡が微細気泡を発生させる機器の位置まで浮上して、気泡に対して微細気泡を含む水流を発生させる機器によって微細気泡を含む水流を発生させ、該微細気泡を含む水流によって上記気泡を剪断して供給することにより、泡沫分離槽内に供給する空気量を多くすると共に気泡径を微細にすることができ、泡沫分離槽内に微細気泡を大量に発生させることができるため好適である。
【００３２】
本発明において、気泡のみを発生させる機器が散気板であることが好ましい。これは他の気泡発生装置よりも構造が簡単で取り扱いが容易であるため好適である。
【００３３】
本発明の泡沫分離工程に用いる装置について、図２に基づいて説明する。分離槽１は装置内に供給する微細気泡の生成のために空気量を優先的に賄う部分と、気泡の微細化を優先的に行う部分の二つの部分を有する。泡沫分離工程に用いる装置は、分離槽１の側面に被処理水が流入する流入口２、分離槽１の上部に泡沫分離水を排出させる排出口３、分離槽１の底部に処理後の被処理水を流出させる流出口４が設けられている。分離槽１は槽内の中間部から上部にかけて、中央が貫通され上部に向かって縮径する傾斜部を有する笠状の遮蔽板５が一定間隔を開けて三段設けられている。また、分離槽１内の中間部よりやや下方の位置に自給式微細気泡発生装置６が設けられ、自給式微細気泡発生装置６の下方でありかつ分離槽１底部にまで至らない位置に散気板７が設けられている。自給式微細気泡発生装置６は外部空気と連通する吸気口８に連通し、散気板７は、ブロワ１０に連通する吸気口９に連通している。
【００３４】
次に本発明の実施形態の作用について説明する。スクリーンや沈砂槽などの前処理工程を経た油分含有廃水に廃水中の油分を捕捉ないし吸着できる懸濁物質を添加した後、廃水中の油分が捕捉ないし吸着した懸濁物質を浮上分離工程にて除去することにより、前記廃水から油分を除去する。尚、油分含有廃水に予め懸濁物質が混入されている場合には、新たに懸濁物質を添加する必要はなく、そのまま浮上分離工程において廃水中の油分が捕捉ないし吸着した懸濁物質を除去することにより、前記廃水から油分を除去する。浮上分離工程を経た被処理水に、無機系凝集剤及び／又は高分子凝集剤を添加して被処理水のＳＳや油分を凝集・沈殿させて除去し、上澄み水を後処理工程へ移送させる。
【００３５】
また、本発明の実施形態における懸濁物質とは、形状ないし材質の何れかにおいて油分と親和性を有する物質、且つ廃水中の油分を捕捉ないし吸着できる物質である。油分に対して疎水性相互作用を持つ物質であればよく、特に繊維質のものが好適である。清掃用モップ等に使用されるパイル糸などが好ましい。その材質は、綿、ポリアミド、ポリエステル、レーヨン、アクリル、ビニロンなどが挙げられる。ポリアミドの中では特にナイロンが好ましい。糸の形状はスパンタイプ、フィラメントタイプのいずれでもよい。糸の強さも特に限定されない。また、懸濁物質の形状はスポンジのような多孔質状や網目状のものが好適である。
【００３６】
また、廃水に対する懸濁物質の添加量は、懸濁物質の濃度が７００ｍｇ／Ｌ以上１００００ｍｇ／Ｌ以下になるように添加することが好ましい。油分含有廃水において、懸濁物質が充分に含まれていない場合は上記の濃度を満たすまで廃水中の油分を捕捉ないし吸着できる懸濁物質を添加する必要がある。また、懸濁物質の濃度が高すぎると処理工程で除去される懸濁物質が多くなり廃棄物量が増えるため、懸濁物質の濃度は１００００ｍｇ／Ｌ以下が好ましい。
【実施例】
【００３７】
次に、本発明において前記の実施形態を用いて油分含有廃水の油分除去試験を行った。試験の測定方法を以下に示す。
（１）粒度分布の測定
粒度分布の測定は、光源がＨｅ−Ｎｅレーザー及びＷランプの併用式であり、Ｍｉｅ散乱理論に基づくレーザー回折／散乱式粒度分布測定装置ＬＡ−５００（堀場製作所製）を用いて行った。
（２）油分濃度の測定
油分濃度の測定は、Ｈ−９９７溶媒（堀場製作所製）抽出による非分散型赤外線吸収法を原理とする油分濃度計ＯＣＭＡ−３０５（堀場製作所製）を用いて行った。
（３）ＳＳの測定
ＳＳの測定はガラス繊維ろ紙（ワットマン製ＧＦ／Ｂ）を用い、ＪＩＳＫ０１０２  １４に準拠した方法により、測定を行った。
【００３８】
本発明における油分含有廃水の油分除去試験は実施例１及び比較例１のそれぞれについて試験を行い、油分含有廃水として清掃業の工場廃水を、処理設備に泡沫分離装置、凝集槽、凝集沈殿槽を用い、泡沫分離処理時間毎および凝集沈殿後の処理水の油分濃度及びＳＳを測定した。粒度分布は、泡沫分離処理時間毎の被処理水において測定した。なお試験に用いた清掃業の工場廃水は、廃水中の油分を捕捉ないし吸着できる懸濁物質が混入していたことから、別途廃水中の油分を捕捉ないし吸着できる懸濁物質を添加する必要はなかった。実施例１及び比較例１で用いた油分含有廃水に含まれる懸濁物質は、清掃用モップに用いられるナイロンまたは綿製のパイル糸であり、懸濁物質の濃度は２６３０〜３６５０ｍｇ／Ｌであった。試験結果を図３〜６に示す。
【００３９】
［実施例１］
油分含有廃水の油分除去試験として、泡沫分離による浮上分離工程で得られた被処理水に凝集剤を作用させることにより、凝集沈殿後の処理水を得た。
【００４０】
［比較例１］
油分含有廃水の油分除去試験として、凝集剤を作用させた後、泡沫分離による浮上分離工程を経て処理水を得た。
【００４１】
（油分含有廃水の油分除去試験条件）
・泡沫分離の処理時間：６０（分）
・使用凝集剤：硫酸バンド（黒崎化学工業製）
アニオン系高分子凝集剤Ａ−１２０（荏原エンジニアリングサービス製）
・硫酸バンドの添加量：油分含有廃水量に対して４００（ｍｇ／Ｌ）
・高分子凝集剤の添加量：油分含有廃水量に対して０．８（重量％）
・硫酸バンドの凝集条件：１５０（ｒｐｍ）２分→４０（ｒｐｍ）２分
・高分子凝集剤の凝集条件：硫酸バンドの凝集条件の後、１５０（ｒｐｍ）２分
・凝集後の沈殿時間：５（分）
・泡沫分離装置の有効容量：４（Ｌ）
【００４２】
図３は、泡沫分離処理時間毎の被処理水の粒度分布を測定し、それぞれの被処理水における各粒子径の頻度に油分濃度を積算させ、粒子径毎の油分濃度を表したグラフである。試験開始時の油分含有廃水におけるメジアン径は２７μｍで、その粒子径における油分濃度は２８２ｍｇ／Ｌであったが、泡沫分離処理を６０分行うことによりメジアン径は５μｍ、その粒子径における油分濃度は４８ｍｇ／Ｌとなり、処理時間毎にメジアン径及びその粒子径における油分濃度とも減少した。また、油分濃度におけるメジアン径は、処理時間が１０分を過ぎると減少傾向が小さく、４０分以上行ってもメジアン径が５μｍより減少しなかった。
【００４３】
図４は、泡沫分離処理時間毎の被処理水の粒度分布を測定し、それぞれの被処理水における各粒子径の頻度にＳＳを積算させ、粒子径毎のＳＳを表したグラフである。試験開始時の油分含有廃水におけるメジアン径は２７μｍで、その粒子径におけるＳＳは２１３ｍｇ／Ｌであったが、泡沫分離処理を６０分行うことによりメジアン径は５μｍ、その粒子径におけるＳＳは４８ｍｇ／Ｌとなり、処理時間毎にメジアン径及びその粒子径におけるＳＳとも減少した。また、ＳＳにおけるメジアン径は、処理時間が１０分を過ぎると減少傾向が小さく、４０分以上行ってもメジアン径が５μｍより減少しなかった。
【００４４】
図５は、実施例１と比較例１それぞれの処理工程毎の油分濃度の推移を示したグラフである。実施例１は泡沫分離処理を２０分行うことにより、油分濃度が３４４０ｍｇ／Ｌから８８５ｍｇ／Ｌまで減少したものの、更に、６０分まで処理を行っても油分濃度は６３０ｍｇ／Ｌと少ししか減少しなかった。しかし、その後凝集剤を作用させることにより、油分濃度は９７ｍｇ／Ｌまで減少し、優れた油分除去性能を示した。一方、比較例１は凝集剤を作用させることにより、油分濃度が２８２０ｍｇ／Ｌから２４７０ｍｇ／Ｌまで僅かに減少するに留まったものの、その後、泡沫分離処理を２０分行うことにより、油分濃度が２４７０ｍｇ／Ｌから４２０ｍｇ／Ｌまで減少した。しかし、更に６０分まで処理を行っても油分濃度は４１０ｍｇ／Ｌまでしか減少しなかった。よって、実施例１は比較例１と比べて約４倍の油分除去性能があることがわかる。
【００４５】
図６は、実施例１と比較例１それぞれの処理工程毎のＳＳの推移を示したグラフである。実施例１は泡沫分離処理を２０分行うことにより、ＳＳが２６３０ｍｇ／Ｌから９３７ｍｇ／Ｌまで減少したものの、更に、６０分まで処理を行ってもＳＳは６３７ｍｇ／Ｌと大きな減少は見られなかった。しかし、その後凝集剤を作用させることにより、ＳＳは２７７ｍｇ／Ｌまで減少し、優れたＳＳ除去性能を示した。一方、比較例１は凝集剤を作用させることにより、ＳＳが３６５０ｍｇ／Ｌから１０６００ｍｇ／Ｌまで増加した。これは凝集剤を作用させたことにより、ＳＳが肥大化し、ＳＳ測定時に多くのフロックが混入したためである。その後、泡沫分離処理を２０分行うことにより、ＳＳが１０６００ｍｇ／Ｌから５７０ｍｇ／Ｌまで減少した。しかし、更に６０分まで処理を行ってもＳＳは４７０ｍｇ／Ｌまでしか減少しなかった。よって、実施例１は比較例１と比べて約２倍のＳＳ除去性能があることが確認できた。
【００４６】
以上のことから、本実施例において、廃水中の油分を捕捉ないし吸着できる懸濁物質を添加または予め懸濁物質が混入している被処理水に対して、廃水中の油分が捕捉ないし吸着した懸濁物質を浮上分離工程にて除去した後、凝集剤を作用させて前記廃水の油分を除去する工程を用いれば、従来の処理方法と比べて、油分除去性能を約４倍、ＳＳ除去性能を約２倍向上させることができる。さらに油分含有廃水において凝集剤を作用させる前に浮上分離工程を行うことにより、凝集剤で凝集させなくても十分浮上分離除去できる汚濁物質や懸濁物質、さらに懸濁物質に付着する油分に対して作用させる凝集剤が必要なくなり、従来の浮上分離工程よりも凝集剤の使用量を約１／３に低減させることができる。
【図面の簡単な説明】
【００４７】
【図１】本発明が意図する油分含有廃水の処理フローである。
【図２】本発明における泡沫分離処理に用いる浮上分離装置の一例を示した断面模式図である。
【図３】本発明の実施例１における処理時間毎の被処理水の油分濃度における粒度分布の推移を示したグラフである。
【図４】本発明の実施例１における処理時間毎の被処理水のＳＳにおける粒度分布の推移を示したグラフである。
【図５】本発明の実施例１及び比較例１における処理時間毎の被処理水の油分濃度の推移を示したグラフである。
【図６】本発明の実施例１及び比較例１における処理時間毎の被処理水のＳＳの推移を示したグラフである。
【図７】従来の比重分離方法を用いた油分含有廃水の処理装置例の概要を示す平面図である。
【図８】図７中のＡ−Ａ断面図である。
【図９】従来の加圧浮上分離方法を用いた油分含有廃水の処理装置例の概要を示す断面模式図である。
【図１０】従来技術が意図する油分含有廃水の処理フローである。
【符号の説明】
【００４８】
１  分離槽
２  流入口
３  泡沫分離水排出口
４  流出口
５  遮蔽板
６  自給式微細気泡発生装置
７  散気板
８  吸気口
９  吸気口
１０  ブロワ
１１  気泡
１２  微細気泡
１３  泡沫
【図１】
2009165915.tif 000002
【図２】
2009165915.tif 000003
【図３】
2009165915.tif 000004
【図４】
2009165915.tif 000005
【図５】
2009165915.tif 000006
【図６】
2009165915.tif 000007
【図７】
2009165915.tif 000008
【図８】
2009165915.tif 000009
【図９】
2009165915.tif 000010
【図１０】
2009165915.tif 000011